(57)【要約】      （修正有）【課題】分散電力供給システムにおいて負荷を平衡させるソリューションを提供する。【解決手段】負荷平衡システムは、複数のメータ１１０Ａ〜１１０Ｎから負荷データを取得する取得器４０であって、各メータが、分散電力供給システムの第１の相、第２の相、または第３の相の１つに接続される取得器と、負荷データに基づいて、分散電力供給システムの第１、第２、および第３の相に対する平衡負荷分散を判定する判定器５０であって、平衡負荷分散が、各メータが接続を切り換えるべき第１の相、第２の相、または第３の相の１つを示す判定器と、平衡負荷分散コマンドに従って各メータが分散電力供給システムへの相接続を切り換えるように、平衡負荷分散を含む平衡負荷分散コマンドを、メータそれぞれに送信する送信器６０とを含む。【選択図】図１
2012147662.tif 000002
【特許請求の範囲】
【請求項１】
複数のメータ（１１０Ａ、１１０Ｂ）から負荷データを取得する取得器（４０）であって、各メータ（１１０Ａ、１１０Ｂ）が、分散電力供給システムの第１の相（１６０）、第２の相（１６２）、または第３の相（１６４）の１つに接続される取得器（４０）と、
前記負荷データに基づいて、前記分散電力供給システムの前記第１（１６０）、第２（１６２）、および第３の相（１６４）に対する平衡負荷分散を判定する判定器（５０）であって、前記平衡負荷分散が、各メータ（１１０Ａ、１１０Ｂ）が接続を切り換えるべき前記第１の相（１６０）、前記第２の相（１６２）、または前記第３の相（１６４）の１つを示す判定器（５０）と、
平衡負荷分散コマンドに従って各メータ（１１０Ａ、１１０Ｂ）が前記分散電力供給システムへの相接続を切り換えるように、前記平衡負荷分散を含む前記平衡負荷分散コマンドを、前記メータ（１１０Ａ、１１０Ｂ）それぞれに送信する送信器（６０）とを備える負荷平衡システム（１００、２００、３００）。
【請求項２】
各メータ（１１０Ａ、１１０Ｂ）が、少なくとも１つの装置（１２０Ａ、１２０Ｂ）に接続される、請求項１記載の負荷平衡システム（１００、２００、３００）。
【請求項３】
負荷データが、前記メータ（１１０Ａ、１１０Ｂ）の負荷および／または前記メータ（１１０Ａ、１１０Ｂ）が接続される相の少なくとも１つを含む、請求項１記載の負荷平衡システム（１００、２００、３００）。
【請求項４】
第１のスイッチ（１８０）、第２のスイッチ（１８２）、および第３のスイッチ（１８４）のただ１つがオンであるように、各メータ（１１０Ａ、１１０Ｂ）が、前記メータ（１１０Ａ、１１０Ｂ）を前記第１の相（１６０）に接続するように構成された前記第１のスイッチ（１８０）と、前記メータ（１１０Ａ、１１０Ｂ）を前記第２の相（１６２）に接続するように構成された前記第２のスイッチ（１８２）と、前記メータ（１１０Ａ、１１０Ｂ）を前記第３の相（１６４）に接続するように構成された前記第３のスイッチ（１８４）とを含む、請求項１記載の負荷平衡システム（１００、２００、３００）。
【請求項５】
各メータ（１１０Ａ、１１０Ｂ）が、前記メータ（１１０Ａ、１１０Ｂ）を前記第１の相（１６０）、前記第２の相（１６２）、または前記第３の相（１６４）の１つに接続するように構成された、第１の単極双投（ＳＰＤＴ）リレースイッチ（２８０）と第２のＳＰＤＴリレースイッチ（２８２）とを含む、請求項１記載の負荷平衡システム（１００、２００、３００）。
【請求項６】
各メータ（１１０Ａ、１１０Ｂ）が、前記メータ（１１０Ａ、１１０Ｂ）を前記第１の相（１６０）、前記第２の相（１６２）、または前記第３の相（１６４）の１つに接続するように構成された単一の３極切換えリレースイッチ（３８０）を含む、請求項１記載の負荷平衡システム（１００、２００、３００）。
【請求項７】
前記取得器（４０）が自動メータ読取り（ＡＭＲ）装置を含む、請求項１記載の負荷平衡システム（１００、２００、３００）。
【請求項８】
前記判定器（５０）が、ファジー論理分析、発見的解析、近似解析、または線形化解析の１つを用いて、前記平衡負荷分散を判定する、請求項１記載の負荷平衡システム（１００、２００、３００）。
【請求項９】
前記負荷データが、Ｗｉ−Ｍａｘ、電力線搬送、電力線ブロードバンド、無線周波数、免許周波数、無免許周波数、またはＷｉ−Ｆｉの１つにより取得される、請求項１記載の負荷平衡システム（１００、２００、３００）。
【請求項１０】
前記平衡負荷分散コマンドが、Ｗｉ−Ｍａｘ、電力線搬送、電力線ブロードバンド、無線周波数、免許周波数、無免許周波数、またはＷｉ−Ｆｉの１つにより、前記メータ（１１０Ａ、１１０Ｂ）それぞれに送信される、請求項１記載の負荷平衡システム（１００、２００、３００）。
【発明の詳細な説明】
【技術分野】
【０００１】
本明細書で開示する主題は、３相４線式分散電力供給システム内部で負荷を平衡させるソリューションに関する。
【背景技術】
【０００２】
分散電力供給システムにおいて、平衡したシステムとは、その中で電圧および電流が平衡されているシステムである。電気用語では、どの瞬間においても、各相における電圧は、１２０度変位された同じ振幅および相にあるべきである。電圧が平衡された場合、電流は電圧に類似しているので、設定電流も平衡されることになる。
【０００３】
１００％の平衡は、実際のシステムにおいて現実的に達成することはできないが、電力供給は、ほぼ平衡されるように維持することができる。これにより、変圧器効率の向上および電力品質の向上など、いくつかの利点がもたらされ、過度の電圧降下、エネルギー損失、およびフィーダ過負荷が回避される。
【先行技術文献】
【特許文献】
【０００４】
【特許文献１】米国特許第６０２３１５２号明細書
【発明の概要】
【０００５】
分散電力供給システム内部で負荷を平衡させるソリューションについて開示する。一実施形態では、負荷平衡システムが、複数のメータから負荷データを取得する取得器であって、各メータが、分散電力供給システムの第１の相、第２の相、または第３の相の１つに接続される取得器と、負荷データに基づいて、分散電力供給システムの第１、第２、および第３の相に対する平衡負荷分散を判定する判定器であって、平衡負荷分散が、各メータが接続を切り換えるべき第１の相、第２の相、または第３の相の１つを示す判定器と、平衡負荷分散コマンドに従って各メータが分散電力供給システムへの相接続を切り換えるように、平衡負荷分散を含む平衡負荷分散コマンドを、メータそれぞれに送信する送信器とを備える。
【０００６】
本発明の第１の態様は、負荷平衡システムを提供し、この負荷平衡システムは、複数のメータから負荷データを取得する取得器であって、各メータが、分散電力供給システムの第１の相、第２の相、または第３の相の１つに接続される取得器と、負荷データに基づいて、分散電力供給システムの第１、第２、および第３の相に対する平衡負荷分散を判定する判定器であって、平衡負荷分散が、各メータが接続を切り換えるべき第１の相、第２の相、または第３の相の１つを示す判定器と、平衡負荷分散コマンドに従って各メータが分散電力供給システムへの相接続を切り換えるように、平衡負荷分散を含む平衡負荷分散コマンドを、メータそれぞれに送信する送信器とを備える。
【０００７】
本発明の第２の態様は、システムを提供し、このシステムは、各メータが少なくとも１つの装置に接続された複数のメータと、第１の相、第２の相、および第３の相を含む分散電力供給システムであって、各メータが、分散電力供給システムの第１の相、第２の相、または第３の相の１つに接続される分散電力供給システムと、負荷平衡システムとを備え、負荷平衡システムは、複数のメータから負荷データを取得する取得器と、負荷データに基づいて、分散電力供給システムの第１、第２、および第３の相に対する平衡負荷分散を判定する判定器であって、平衡負荷分散が、各メータが接続を切り換えるべき第１の相、第２の相、または第３の相の１つを示す判定器と、平衡負荷分散コマンドに従って各メータが分散電力供給システムへの相接続を切り換えるように、平衡負荷分散を含む平衡負荷分散コマンドを、メータそれぞれに送信する送信器とを備える。
【０００８】
本発明の第３の態様は、コンピュータ可読媒体に格納されたプログラム製品を提供し、この製品は、実行されると、各メータが少なくとも１つの装置に接続されている複数のメータから負荷データを取得することであって、各メータが、分散電力供給システムの第１の相、第２の相、または第３の相の１つに接続されること、負荷データに基づいて、分散電力供給システムの第１、第２、および第３の相に対する平衡負荷分散を判定することであって、平衡負荷分散が、各メータが接続を切り換えるべき第１の相、第２の相、または第３の相の１つを示すこと、ならびに、平衡負荷分散コマンドに従って各メータが分散電力供給システムへの相接続を切り換えるように、平衡負荷分散を含む平衡負荷分散コマンドを、メータそれぞれに送信することを実施する。
【０００９】
本発明のこうしたおよび他の特徴が、本発明の様々な実施形態を示す添付の図面と併せ見ると、本発明の様々な態様の以下の詳細な説明からより容易に理解されよう。
【図面の簡単な説明】
【００１０】
【図１】本発明の一実施形態を実装する例示的環境およびコンピュータインフラストラクチャを示すブロック図である。
【図２】本発明の一実施形態によるシステムを示すブロック図である。
【図３】本発明の一実施形態によるシステムを示すブロック図である。
【図４】本発明の一実施形態によるシステムを示すブロック図である。
【図５】本発明の一実施形態による、システム内部で負荷を平衡させる実施形態を示すフロー図である。
【発明を実施するための形態】
【００１１】
本発明の図面は、原寸大ではないことに留意されたい。図面は、本発明の典型的な態様のみを示すことを意図しており、したがって、本発明の範囲を限定するものと見なされるべきでない。図面において、同じ番号づけは、複数の図面に渡って同じ要素を表す。
【００１２】
上述したように、本発明の態様は、電力供給システム内部で負荷を平衡させるソリューションを提供する。別段に記載されていない限り、本明細書で使用する「１組（set）」という用語は、１つまたは複数（すなわち、少なくとも１つ）を意味し、「任意の（any）ソリューション」というフレーズは、現時点で公知であり、または今後開発されるどのソリューションも意味する。
【００１３】
図面に移ると、図１は、分散電力供給システム内部で負荷を平衡させる例示的環境１０を示す。この点において、環境１０は、分散電力供給システム内部で負荷を平衡させるために、本明細書に記載するプロセスを実施することができるコンピュータシステム２０を含む。具体的には、コンピュータシステム２０は、平衡システム３０を含んで示されており、システム３０によって、コンピュータシステム２０は、本明細書に記載するプロセスを実施することによって分散電力供給システム内部で負荷を平衡させるように動作可能になる。
【００１４】
コンピュータシステム２０は、複数のメータ１１０Ａ、１１０Ｂ、．．．、１１０Ｎと通信するように示されている。コンピュータシステム２０と通信する任意の数のメータがあってよい。さらに、コンピュータシステム２０は、ユーザ３６と通信するように示されている。ユーザは、たとえば、プログラマやオペレータでよい。こうした構成要素とコンピュータシステム２０との間の対話については、本出願の後続部分において論じる。コンピュータシステム２０は、処理構成要素２２（たとえば、１つまたは複数のプロセッサ）、記憶構成要素２４（たとえば、記憶階層）、入力／出力（Ｉ／Ｏ）構成要素２６（たとえば、１つまたは複数のＩ／Ｏインタフェースおよび／または装置）、ならびに通信経路２８を含んで示されている。一実施形態では、処理構成要素２２は、記憶構成要素２４内で少なくとも部分的に実施される、平衡システム３０などのプログラムコードを実行する。プログラムコードを実行する間、処理構成要素２２は、データを処理することができ、その結果、記憶構成要素２４および／またはＩ／Ｏ構成要素２６からデータを、さらに処理するために読み取り、かつ／または書き込むことができる。経路２８は、コンピュータシステム２０内の構成要素それぞれの間の通信リンクを提供する。Ｉ／Ｏ構成要素２６は、ユーザ３６がコンピュータシステム２０と対話することを可能にする１つもしくは複数のヒューマンＩ／Ｏ装置もしくは記憶装置、および／またはユーザ３６がどのタイプの通信リンクを使ってもコンピュータシステム２０と通信することを可能にするための１つもしくは複数の通信装置を備え得る。この点において、平衡システム３０は、平衡システム３０との人間および／またはシステム対話を可能にする１組のインタフェース（たとえば、グラフィカルユーザインタフェース（複数可）、アプリケーションプログラムインタフェースなど）を管理することができる。
【００１５】
いずれにしても、コンピュータシステム２０は、システムにインストールされたプログラムコードを実行することが可能な１つまたは複数の汎用コンピューティング製造品（たとえば、コンピューティング装置）を備え得る。本明細書で使用するように、「プログラムコード」は、情報処理能力をもつコンピューティング装置に、ある特定の機能を直接あるいは（ａ）別の言語、コードもしくは記法への変換、（ｂ）異なる素材の形での再現、および／または（ｃ）圧縮解除のどの組合せの後でも実施させる、任意の言語、コードまたは記法での命令からなる任意の集合体を意味することが理解されよう。この点において、平衡システム３０は、システムソフトウェアおよび／またはアプリケーションソフトウェアのどの組合せとしても実施され得る。いずれにしても、コンピュータシステム２０の技術的効果は、電力供給分散システム内部で負荷を平衡させる処理命令を提供することである。
【００１６】
さらに、平衡システム３０は、１組のモジュール３２を使って実装することができる。この場合、モジュール３２は、平衡システム３０によって使われる１組のタスクをコンピュータシステム２０が実施することを可能にすることができ、平衡システム３０の他の部分とは別個に開発し、かつ／または実装することができる。平衡システム３０は、特定用途マシン／ハードウェアおよび／またはソフトウェアを備えるモジュール３２を含み得る。ともかく、２つ以上のモジュール、および／またはシステムが、それぞれのハードウェアおよび／またはソフトウェアの一部／全部を共有し得ることが理解されよう。さらに、本明細書で論じる機能性の一部は、実装しなくてもよく、追加機能性がコンピュータシステム２０の一部として含まれてもよいことが理解されよう。
【００１７】
コンピュータシステム２０が複数のコンピューティング装置を備えるとき、各コンピューティング装置は、装置上で実施される平衡システム３０の一部分（たとえば、１つまたは複数のモジュール３２）のみを有し得る。ただし、コンピュータシステム２０および平衡システム３０は、本明細書に記載するプロセスを実施し得る、可能な様々な等価のコンピュータシステムを表すだけであることが理解されよう。この点において、他の実施形態では、コンピュータシステム２０および平衡システム３０によって提供される機能性は、プログラムコードをもつまたはもたない汎用および／または特殊目的ハードウェアのどの組合せも含む１つまたは複数のコンピューティング装置によって少なくとも部分的に実装することができる。各実施形態において、ハードウェアおよびプログラムコードは、含まれる場合、それぞれ、標準工学およびプログラミング技法を用いて作成することができる。
【００１８】
ともかく、コンピュータシステム２０が複数のコンピューティング装置を含むとき、コンピューティング装置は、どのタイプの通信リンクを介しても通信することができる。さらに、本明細書に記載するプロセスを実施する間、コンピュータシステム２０は、どのタイプの通信リンクを使っても、他の１つまたは複数のコンピュータシステムと通信することができる。いずれのケースでも、通信リンクは、様々なタイプのワイヤードおよび／もしくはワイヤレスリンクのどの組合せも含み、１つもしくは複数のタイプのネットワークのどの組合せも含み、かつ／または様々なタイプの送信技法およびプロトコルのどの組合せも使用し得る。
【００１９】
本明細書で論じるように、平衡システム３０は、電力供給分散システム内部で負荷を平衡させる処理命令をコンピュータシステム２０が提供することを可能にする。平衡システム３０は、取得器４０、判定器５０、および送信器６０の機能を含み得る論理を含み得る。一実施形態では、平衡システム３０は、上述の機能を実施するための論理を含み得る。構造的に、論理は、フィールドプログラム可能ゲートアレイ（ＦＰＧＡ）、マイクロプロセッサ、デジタル信号プロセッサ、特定用途向け集積回路（ＡＳＩＣ）または本明細書に記載する機能を実施することが可能な他の任意の特定用途マシン構造など、様々な形の任意のものをとり得る。論理は、ソフトウェアおよび／またはハードウェアなど、様々な形の任意のものをとり得る。ただし、例示目的のために、平衡システム３０およびそこに含まれる論理は、本明細書では特定用途マシンとして記載する。記載内容から理解されるように、論理は、上述の機能それぞれを含むものとして示されるが、添付の請求項に記載の本発明の教示に従って、機能すべてが必要なわけではない。
【００２０】
ここで図２に移ると、本発明の一実施形態によるシステム１００のブロック図が示されている。システム１００は、複数のメータ１１０Ａ、１１０Ｂと通信する主局１７５を示す。２つのメータ１１０Ａ、１１０Ｂのみが示されているが、任意の数のメータが主局１７５と通信してよいことが理解されよう。本明細書で使用するように、主局１７５は、どの相にメータ１１０Ａ、１１０Ｂが接続されるべきか判定するために、コンピュータシステム２０（図１）の少なくとも全部分を含むコマンドセンタを指す。つまり、主局１７５は、平衡システム３０の取得器４０、判定器５０、および送信器６０を含み得る。
【００２１】
各メータ１１０Ａ、１１０Ｂは、少なくとも１つの装置１２０に接続され得る。図２に示すように、各メータ１１０Ａ、１１０Ｂは、複数の装置１２０Ａ、１２０Ｂ、．．．、１２０Ｎに接続され得る。動作中、主局１７５は、取得器４０（図１）によって、各メータ１１０Ａ、１１０Ｂから負荷データを取得する。負荷データは、Ｗｉ−Ｍａｘ、電力線搬送、電力線ブロードバンド、無線周波数、ＬＡＮ／ＷＡＮ、ＡＭＩ、ＨＡＮ／Ｚｉｇｂｅｅ（商標）、免許周波数、無免許周波数、またはＷｉ−Ｆｉなどだが、それに限定されない、現時点で公知であり、または今後開発されるどの送信用技術によっても取得することができる。取得器４０（図１）は、当該分野において公知であるように、自動メータ読取り（ＡＭＲ）装置を含み得る。
【００２２】
各メータ１１０Ａ、１１０Ｂは、配電変圧器１５０の第１の相１６０、第２の相１６２、または第３の相１６４の１つに接続され得る。各メータ１１０Ａ、１１０Ｂは、メータ１１０Ａ、１１０Ｂを第１の相１６０に接続するように構成された第１のスイッチ１８０、メータ１１０Ａ、１１０Ｂを第２の相１６２に接続するように構成された第２のスイッチ１８２、およびメータ１１０Ａ、１１０Ｂを第３の相１６４に接続するように構成された第３のスイッチ１８４を含み得る。どの所与の瞬間でも、第１のスイッチ１８０、第２のスイッチ１８２、または第３のスイッチ１８４の１つだけをオンにすることができる。つまり、各メータ１１０Ａ、１１０Ｂは、一度に単一の相（第１の相１６０、第２の相１６２、または第３の相１６４の１つ）にのみ接続することができる。たとえば、図２において、メータ１１０Ａの第１のスイッチ１８０が「オン」にされて、メータ１１０Ａを第１の相１６０に接続する。さらに、メータ１１０Ｂの第２のスイッチ１８２がオンにされて、メータ１１０Ｂを第２の相１６２に接続する。配電変圧器１５０は、第４の線１６６をさらに備え得る。第４の線１６６は、中性（すなわち、接地）である。各メータ１１０Ａ、１１０Ｂは、第４の線１６６に接続することもできる（図示せず）。
【００２３】
各メータ１１０Ａ、１１０Ｂの負荷データは、メータ１１０Ａ、１１０Ｂが接続される相および／またはメータ１１０Ａ、１１０Ｂの負荷の少なくとも１つを含み得る。本明細書で使用する「負荷」という用語は、メータ１１０Ａ、１１０Ｂの所で装置１２０Ａ、１２０Ｂ、．．．、１２０Ｎによって消費される電力を指す。
【００２４】
主局１７５は次いで、判定器５０（図１）によって、各メータ１１０Ａ、１１０Ｂに関する負荷データに基づいて、第１の相１６０、第２の相１６２、および第３の相１６４に対する平衡負荷分散を判定することができる。つまり、平衡負荷分散は、各メータ１１０Ａ、１１０Ｂが接続を切り換えるべき第１の相１６０、第２の相１６２、または第３の相１６４のいずれか１つを示す。判定器５０（図１）は、ファジー論理分析、発見的解析、近似解析、または線形化解析に限定されないが、現時点で公知であり、または今後開発されるどの分析を用いても、平衡負荷分散を判定することができる。
【００２５】
平衡負荷分散を含む平衡負荷分散コマンドは、送信器６０（図１）によって各メータ１１０Ａ、１１０Ｂに送信することができる。平衡負荷分散は、Ｗｉ−Ｍａｘ、電力線搬送、電力線ブロードバンド、無線周波数、ＬＡＮ／ＷＡＮ、ＡＭＩ、ＨＡＮ／Ｚｉｇｂｅｅ（商標）、免許周波数、無免許周波数、またはＷｉ−Ｆｉなどだが、それに限定されない、現時点で公知であり、または今後開発されるどの送信用技術によっても送信することができる。続いて、各メータ１１０Ａ、１１０Ｂは、平衡負荷分散コマンドに従って、配電変圧器１５０への相接続を切り換えればよい。つまり、たとえば、図２では、メータ１１０Ａは、第１の相１６０ではなく第２の相１６２に接続を切り換えてよい。
【００２６】
ここで図３を参照すると、本発明の一実施形態によるシステム２００のブロック図が示されている。ただ１つのメータ１１０Ａが示されているが、上述したように、複数のメータがシステム２００に含まれてよいことが理解されよう。本実施形態では、メータ１１０Ａは、２つの単極双投（ＳＰＤＴ）リレースイッチ２８０、２８２を介して第１の相１６０、第２の相１６２、または第３の相１６４に接続することができる。たとえば、図３において、メータ１１０Ａは、第１のスイッチ２８０を介して第３の相１６４に接続される。
【００２７】
ここで図４に移ると、本発明の一実施形態によるシステム３００のブロック図が示されている。メータ１１０Ａは、単一の３極切換えリレースイッチ３８０を介して、第１の相１６０、第２の相１６２、または第３の相１６４に接続することができる。
【００２８】
図５に移ると、電力供給において負荷を平衡させる実施形態のフロー図が示されている。ステップＳ１で、取得器４０は、複数のメータ１１０Ａ、１１０Ｂから負荷データを取得し、ここで各メータ１１０Ａ、１１０Ｂは、配電変圧器１５０の第１の相１６０、第２の相１６２、または第３の相１６４の１つに接続されている。負荷データの取得は、どの相（第１の１６０、第２の１６２、または第３の１６４）にメータ１１０Ａ、１１０Ｂが接続されているか、およびメータ１１０Ａ、１１０Ｂの負荷（すなわち、電力消費）を取得することを含み得る。負荷データは、Ｗｉ−Ｍａｘ、電力線搬送、電力線ブロードバンド、無線周波数、ＬＡＮ／ＷＡＮ、ＡＭＩ、ＨＡＮ／Ｚｉｇｂｅｅ（商標）、免許周波数、無免許周波数、またはＷｉ−Ｆｉなどだが、それに限定されない、現時点で公知であり、または今後開発されるどの送信用技術によっても取得することができる。
【００２９】
ステップＳ２で、判定器５０は、負荷データに基づいて、配電変圧器１５０の第１の相１６０、第２の相１６２、および第３の相１６４に対する平衡負荷分散を判定する。平衡負荷分散は、各メータ１１０Ａ、１１０Ｂが接続を切り換えるべき第１の相１６０、第２の相１６２、または第３の相１６４の１つを示す。つまり、判定器５０は、配電変圧器１５０の相１６０、１６２、１６４が平衡されるように、どの相にメータ１１０Ａ、１１０Ｂが接続されるべきか判定する。
【００３０】
ステップＳ３で、送信器６０は、平衡負荷分散を含む平衡負荷分散コマンドを、各メータ１１０Ａ、１１０Ｂに送信する。したがって、各メータ１１０Ａ、１１０Ｂは、必要とされる場合、メータ１１０Ａ、１１０Ｂがどの相１６０、１６２、１６４に接続されるべきかを、第１のスイッチ１８０、第２のスイッチ１８２、および第３のスイッチ１８４（図２）を使って切り換えればよい。あるいは、メータ１１０Ａ、１１０Ｂは、２つのＳＰＤＴリレースイッチ２８０、２８２（図３）または単一の３極切換えリレースイッチ３８０（図４）を使って切り換えてよい。ステップＳ４で、本方法は、平衡負荷分散コマンドに基づいて、配電変圧器１５０への各メータ１１０Ａ、１１０Ｂの接続を切り換えることを含む。
【００３１】
本明細書では負荷平衡システムとして示し記載したが、本発明の態様は、様々な代替実施形態をさらに提供することが理解されよう。たとえば、一実施形態では、本発明は、少なくとも１つのコンピュータ可読媒体で実施されるコンピュータプログラムを提供し、このプログラムは、実行されると、コンピュータシステムが電力供給システム内で負荷を平衡させることを可能にする。この点において、コンピュータ可読媒体は、平衡システム３０（図１）などのプログラムコードを含み、システム３０は、本明細書に記載したプロセスの一部または全部を実装する。「コンピュータ可読媒体」という用語は、プログラムコードのコピーを具現することが可能な任意のタイプの有形表現媒体（たとえば、物理的具現化）の１つまたは複数を含むことが理解されよう。たとえば、コンピュータ可読媒体は、１つまたは複数の可搬型記憶製造品、コンピューティング装置の１つまたは複数のメモリ／記憶構成要素、紙などを含み得る。
【００３２】
別の実施形態では、本発明は、本明細書に記載したプロセスの一部または全部を実装する平衡システム３０（図１）などのプログラムコードのコピーを提供する方法を提供する。この場合、コンピュータシステムは、第２の別個の場所での受信のために、その特性の１つまたは複数が、データ信号セット中でプログラムコードのコピーをエンコードするように設定され、かつ／または変更されたデータ信号セットを生成し送信することができる。同様に、本発明の実施形態は、本明細書に記載したプロセスの一部または全部を実装するプログラムコードのコピーを獲得する方法を提供し、この方法は、コンピュータシステムが、本明細書に記載したデータ信号セットを受信すること、およびデータ信号セットを、少なくとも１つのコンピュータ可読媒体で具現されたコンピュータプログラムのコピーに翻訳することを含む。いずれのケースでも、データ信号セットは、どのタイプの通信リンクを使っても送信／受信することができる。
【００３３】
さらに別の実施形態では、本発明は、電力供給システム内部で負荷を平衡させる方法を提供する。この場合、コンピュータシステム、たとえばコンピュータシステム２０（図１）を取得する（たとえば、作成し、維持し、利用可能にする、など）ことができ、本明細書に記載したプロセスを実施する１つまたは複数のモジュールを取得し（たとえば、作成し、購入し、使用し、修正し、など）、コンピュータシステムに展開することができる。この点において、展開は、（１）コンピュータ可読媒体からコンピューティング装置上にプログラムコードをインストールすること、（２）１つまたは複数のコンピューティングおよび／またはＩ／Ｏ装置をコンピュータシステムに追加すること、ならびに（３）コンピュータシステムを、本明細書に記載したプロセスを実施することを可能にさせるように組み込み、かつ／または修正することの１つまたは複数を含み得る。
【００３４】
本発明の態様は、本明細書に記載したプロセスを、加入、広告、および／または料金ベースで実施するビジネス方法の一部として実装され得ることが理解されよう。つまり、サービスプロバイダは、本明細書に記載したように、電力供給システム内で負荷を平衡させる処理命令の提供を提案することができる。この場合、サービスプロバイダは、１人または複数の顧客向けに本明細書に記載したプロセスを実施する、コンピュータシステム２０（図１）などのコンピュータシステムを管理する（たとえば、作成し、維持し、サポートする、など）ことができる。これに対して、サービスプロバイダは、加入および／または料金契約の下で顧客（複数可）から支払いを受け、１つまたは複数のサードパーティへの広告の販売により支払いを受ける、などのことができる。
【００３５】
本記載内容では、本発明を開示するために、また、どの当業者も本発明を実施すること、たとえばどの装置またはシステムも作成し利用し、どの組込み方法も実施することを可能にするために、最良の形態を含む例を用いている。本発明の特許可能な範囲は、請求項によって定義され、当業者が考えつく他の例を含み得る。このような他の例は、請求項の文言とは違わない構造要素を有する限り、または請求項の文言との違いが本質的ではない等価な構造要素を含む限り、請求項の範囲内であることを意図している。
【符号の説明】
【００３６】
１０  環境
２０  コンピュータシステム
２２  処理構成要素
２４  記憶構成要素
２６  入出力（Ｉ／Ｏ）構成要素
２８  通信経路
３０  平衡システム
３２  モジュール
３６  ユーザ
４０  取得器
５０  判定器
６０  送信器
１００、２００、３００  システム、負荷平衡システム
１１０Ａ、１１０Ｂ、１１０Ｎ  複数のメータ
１２０Ａ、１２０Ｂ、１２０Ｎ  複数の装置
１５０  配電変圧器
１６０  第１の相
１６２  第２の相
１６４  第３の相
１６６  第４の線
１７５  主局
１８０  第１のスイッチ
１８２  第２のスイッチ
１８４  第３のスイッチ
２８０  単極双投（ＳＰＤＴ）リレースイッチ
２８２  単極双投（ＳＰＤＴ）リレースイッチ
３８０  単一の３極切換えリレースイッチ
【図１】
2012147662.tif 000003
【図２】
2012147662.tif 000004
【図３】
2012147662.tif 000005
【図４】
2012147662.tif 000006
【図５】
2012147662.tif 000007
【外国語明細書】
2012147662000001.pdf